【手続補正書】
【提出日】平成19年3月8日(2007.3.8)
【手続補正１】
【補正対象書類名】明細書
【補正対象項目名】特許請求の範囲
【補正方法】変更
【補正の内容】
【特許請求の範囲】
【請求項１】
コンテンツデータおよび広告データを入力する入力手段と、
広告データ記録手段と、
前記入力手段に入力されたデータから前記広告データを抽出し、当該抽出した広告データを検索可能な形態で前記広告データ記録手段に記録する処理手段と
を有し、
前記処理手段は、前記広告データが広告コンテンツデータと当該広告コンテンツデータの特性を示す広告特性データとを含む場合に、前記広告特性データを前記広告データ記録手段に記録する
データ処理装置。
【請求項２】
指定されたキーワードに対応する前記広告特性データを前記広告データ記録手段から検索する検索手段
をさらに有し、 
前記検索手段は、前記広告特性データがキーワードを含む場合に、前記指定されたキーワードに対応するキーワードを含む前記広告特性データを前記広告データ記録手段から検索する
請求項１に記載のデータ処理装置。
【請求項３】
前記広告コンテンツデータが提供する広告に関する情報を提供するサーバ装置を識別する識別情報を前記広告特性データが含む場合に、当該識別情報を用いて、前記サーバ装置との間で通信を行う通信手段
をさらに有する請求項１に記載のデータ処理装置。
【請求項４】
前記入力されたコンテンツデータおよび広告データを再生する再生手段と、
前記再生された前記コンテンツデータおよび広告データに応じたイメージ出力またはオーディオ出力の少なくとも一方を行う出力手段と、
前記入力されたコンテンツデータおよび広告データを記録するコンテンツ・広告データ記録手段と
をさらに有し、
前記処理手段は、前記コンテンツ・広告データ記録手段に記録された前記コンテンツデータおよび広告データが前記再生手段で再生されたことを条件に、前記広告データを検索可能な形態で前記広告データ記録手段に記録する
請求項１に記載のデータ処理装置。
【請求項５】
前記処理手段は、前記広告特性データに対応する広告データが再生された時を示す時情報と共に当該広告特性データを前記広告データ記録手段に記録する
請求項１に記載のデータ処理装置。
【請求項６】
前記処理手段は、指定されたユーザ識別情報と共に、前記抽出した広告特性データを検索可能な形態で前記広告データ記録手段に記録し、
前記検索手段は、指定されたユーザ識別情報に対応する前記広告特性データを前記広告データ記録手段から検索する
請求項２に記載のデータ処理装置。
【請求項７】
前記広告特性データが示す情報は、当該広告のタイトル、カテゴリ、内容、作成者、出演者、テーマ曲名、テーマ曲の演奏者および特徴シーンの少なくとも一つに関する情報である
請求項１に記載のデータ処理装置。
【請求項８】
前記検索された広告特性データが示す情報をイメージあるいはオーディオで出力する出力手段をさらに有し、
前記検索された広告特性データが前記出力手段で出力されたときに、当該広告を提供した広告主に課金を行う課金処理に行う課金手段
をさらに有する請求項２に記載のデータ処理装置。
【請求項９】
前記検索された広告特性データの前記特徴シーンが利用されたときに、当該データ処理装置のユーザに課金を行う課金処理を行う課金手段
をさらに有する請求項７に記載のデータ処理装置。
【請求項１０】
コンテンツデータおよび広告データを入力し、
前記入力されたデータから前記広告データを抽出し、
当該抽出した広告データを検索可能な形態で広告データ記録手段に記録し、
前記広告データが広告コンテンツデータと当該広告コンテンツデータの特性を示す広告特性データとを含む場合に、前記広告特性データを前記広告データ記録手段に記録する
データ処理方法。
【請求項１１】
指定されたキーワードに対応する前記広告特性データを前記広告データ記録手段から検索し、
前記広告特性データがキーワードを含む場合に、前記指定されたキーワードに対応するキーワードを含む前記広告特性データを前記広告データ記録手段から検索する
請求項１０に記載のデータ処理方法。
【請求項１２】
前記広告コンテンツデータが提供する広告に関する情報を提供するサーバ装置を識別する識別情報を前記広告特性データが含む場合に、当該識別情報を用いて、前記サーバ装置との間で通信を行う
請求項１０に記載のデータ処理方法。
【請求項１３】
前記入力されたコンテンツデータおよび広告データを再生し、
前記再生された前記コンテンツデータおよび広告データに応じたイメージ出力またはオーディオ出力の少なくとも一方を行い、
前記入力されたコンテンツデータおよび広告データを記録し、
前記記録された前記コンテンツデータおよび広告データが再生されたことを条件に、前記広告データを検索可能な形態で前記広告データ記録手段に記録する
請求項１０に記載のデータ処理方法。
【請求項１４】
前記広告特性データに対応する広告データが再生された時を示す時情報と共に当該広告特性データを前記広告データ記録手段に記録する
請求項１０に記載のデータ処理方法。
【請求項１５】
指定されたユーザ識別情報と共に、前記抽出した広告特性データを検索可能な形態で前記広告データ記録手段に記録し、
指定されたユーザ識別情報に対応する前記広告特性データを前記広告データ記録手段から検索する
請求項１１に記載のデータ処理方法。
【請求項１６】
前記広告特性データが示す情報は、当該広告のタイトル、カテゴリ、内容、作成者、出演者、テーマ曲名、テーマ曲の演奏者および特徴シーンの少なくとも一つに関する情報である
請求項１０に記載のデータ処理方法。
【請求項１７】
前記検索された広告特性データが示す情報をイメージあるいはオーディオで出力する出力手段によって出力されたときに、当該広告を提供した広告主に課金を行う課金処理に行う
請求項１１に記載のデータ処理方法。
【請求項１８】
前記検索された広告特性データの前記特徴シーンが利用されたときに、当該データ処理方法のユーザに課金を行う課金処理を行う
請求項１７に記載のデータ処理方法。
【手続補正２】
【補正対象書類名】明細書
【補正対象項目名】０００８
【補正方法】変更
【補正の内容】
【０００８】
そして、前記処理手段は、前記広告データが広告コンテンツデータと当該広告コンテンツデータの特性を示す広告特性データとを含む場合に、前記広告特性データを前記広告データ記録手段に記録する。
【手続補正３】
【補正対象書類名】明細書
【補正対象項目名】０００９
【補正方法】変更
【補正の内容】
【０００９】
第１の発明のデータ処理装置の作用は以下のようになる。
入力手段に、コンテンツデータおよび広告データが入力される。
次に、処理手段によって、前記入力手段に入力されたデータから前記広告データが抽出され、当該抽出された広告データが検索可能な形態で前記広告データ記録手段に記録される。
【手続補正４】
【補正対象書類名】明細書
【補正対象項目名】００１１
【補正方法】変更
【補正の内容】
【００１１】
そして、前記検索手段は、前記広告特性データがキーワードを含む場合に、前記指定されたキーワードに対応するキーワードを含む前記広告特性データを前記広告データ記録手段から検索する。
【手続補正５】
【補正対象書類名】明細書
【補正対象項目名】００１３
【補正方法】変更
【補正の内容】
【００１３】
また、第１の発明のデータ処理装置は、好ましくは、前記入力されたコンテンツデータおよび広告データを再生する再生手段と、前記再生された前記コンテンツデータおよび広告データに応じたイメージ出力またはオーディオ出力の少なくとも一方を行う出力手段とを有する。
【手続補正６】
【補正対象書類名】明細書
【補正対象項目名】００１４
【補正方法】変更
【補正の内容】
【００１４】
そして、前記入力されたコンテンツデータおよび広告データを記録するコンテンツ・広告データ記録手段をさらに有し、前記処理手段は、前記コンテンツ・広告データ記録手段に記録された前記コンテンツデータおよび広告データが前記再生手段で再生されたことを条件に、前記広告データを検索可能な形態で前記広告データ記録手段に記録する。
【手続補正７】
【補正対象書類名】明細書
【補正対象項目名】００１６
【補正方法】変更
【補正の内容】
【００１６】
また、第１の発明のデータ処理装置は、好ましくは、前記処理手段は、指定されたユーザ識別情報と共に、前記抽出した広告特性データを検索可能な形態で前記広告データ記録手段に記録し、前記検索手段は、指定されたユーザ識別情報に対応する前記広告特性データを前記広告データ記録手段から検索する。
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】変更
【補正の内容】
【００２２】
また、第２の発明のデータ処理方法は、コンテンツデータおよび広告データを入力し、前記入力されたデータから前記広告データを抽出し、当該抽出した広告データを検索可能な形態で広告データ記録手段に記録し、前記広告データが広告コンテンツデータと当該広告コンテンツデータの特性を示す広告特性データとを含む場合に、前記広告特性データを前記広告データ記録手段に記録する。